(57)【要約】【課題】  複数の画像を撮影するとともに当該複数の画像にストーリー性を持たせて合成又は加工等の編集をし、当該複数の画像をプリントアウトした印刷物にストーリー性を持たせて短時間で製本することが可能な画像プリント製本システムを提供する。【解決手段】  画像撮影装置２と、画像撮影装置２で撮影された複数の画像データを入力する画像データ入力部３１と画像データ入力部３１によって入力された複数の画像に合成及び加工等の編集を施す画像データ処理部３２と画像データ処理部３２によって処理された複数の画像を印刷する画像プリント部３３とからなる画像プリント装置３と、折り曲げ線を形成する折り曲げ線形成部４３と製本物の製本部を加圧する圧搾部４６とが一体に形成され、画像処理プリント装置３で印刷された複数の画像を製本物として製本する製本装置４とで構成する。【選択図】図１
2008146590.tif 000002
【特許請求の範囲】
【請求項１】
撮影した画像データを記録できる画像撮影装置と、
前記画像撮影装置で撮影された複数の画像データが入力する画像データ入力部と、前記画像データ入力部によって入力された複数の画像に合成及び加工等の編集を施す画像データ処理部と、前記画像データ処理部によって処理された複数の画像を印刷する画像プリント部とからなる画像処理プリント装置と、
折り曲げ線を形成する折り曲げ線形成部と、製本物の製本部を加圧する圧搾部とが一体的に形成され、前記画像処理プリント装置で印刷された複数の画像を製本物として製本する製本装置とを備え、撮影から製本までの工程を一連の処理操作で行えるようにしたことを特徴とする画像プリント製本システム。
【請求項２】
前記画像データ処理部は、前記複数の画像データに任意に選択されたストーリーに応じた背景等により合成及び加工等の編集を施すことを特徴とする請求項１に記載の画像プリント製本システム。
【発明の詳細な説明】
【技術分野】
【０００１】
本発明は、複数の画像を撮影するとともに当該複数の画像にストーリー性を持たせて合成及び加工等の編集を施し、且つ当該複数の画像をプリントアウトした印刷物を短時間で製本することができる画像プリント製本システムに関する。
【背景技術】
【０００２】
従来、撮影された画像データを印刷物として印刷し、顧客に当該印刷された印刷物を提供することが可能であって、当該画像データを加工して印刷することが可能な画像プリントシステムが公開されている（例えば、特許文献１及び特許文献２）。
【特許文献１】特開２００２−３７４４８３号「画像プリントシステム」
【特許文献２】特開２００３−１６３８８３号「フォトプリントシステム」
【発明の開示】
【発明が解決しようとする課題】
【０００３】
さて、上記特許文献１又は特許文献２に記載の技術を以ってビジネスとした場合、その利用者は凡そ子供である。その利用者である子供は、概してヒーロー・ヒロイン願望を持つことから、単に画像データに合成及び加工等の編集を施す以上に、あたかも自分がストーリーのヒーロー又はヒロインになったかのように画像データに合成及び加工等の編集を施し、当該画像データを印刷した印刷物をストーリーに応じて複数枚アルバム状に製本した方がメモリアルな価値が高まるし、またそのようなニーズもある。
【０００４】
しかしながら、上記特許文献１及び特許文献２に記載の技術では、単に１枚の画像に合成又は加工等の編集を施すことができるに止まり、複数の画像に合成又は加工等の編集を施すことによって複数の画像にストーリー性を与えることはできなかった。
【０００５】
また、上記特許文献１及び特許文献２に記載の技術では、プリントアウトは１枚毎であり、例えば複数の画像にストーリー性を持たせて興趣を高めるような編集はされておらず、プリントアウトされた画像を同時に製本するという機能もなかった。
【０００６】
そこで、本発明は、複数の画像を撮影するとともに当該複数の画像にストーリー性を持たせて合成又は加工等の編集をし、当該複数の画像をプリントアウトした印刷物にストーリー性を持たせて短時間で製本することが可能な画像プリント製本システムを提供することを課題とする。
【課題を解決するための手段】
【０００７】
上記課題を解決するために、本発明は次のように構成した。すなわち、本発明に係る画像プリント製本システムは、画像撮影装置と、前記画像撮影装置で撮影された複数の画像データが入力する画像データ入力部と、前記画像データ入力部によって入力された複数の画像に合成及び加工等の編集を施す画像データ処理部と、前記画像データ処理部によって処理された複数の画像を印刷する画像プリント部とからなる画像処理プリント装置と、折り曲げ線を形成する折り曲げ線形成部と、製本物の製本部を加圧する圧搾部とが一体的に形成され、前記画像処理プリント装置で印刷された複数の画像を製本物として製本する製本装置とを備え、撮影から製本までの工程を一連の処理操作で行えるようにしたことを特徴としている。
【０００８】
また、画像データ処理部において、複数の画像データに任意に選択されたストーリーに応じた人物や背景等を合成し加工するという編集を施すことを特徴としている。
【発明の効果】
【０００９】
本発明によれば、複数の画像を撮影するとともに当該複数の画像にストーリー性を持たせた合成又は加工等の編集を行うことができ、さらに編集された複数の画像をプリントアウトした印刷物に対して一連の処理の流れに沿って製本までできるようにしているので、単なる撮影サービスだけではなく、特別に編集された記念用のアルバムを提供できるという従来にない興趣を高めたサービスを行うことができる。特に、子供用のメモリアルプレゼントとして喜ばれるアルバムの作成を簡単に行うことができる。
【発明を実施するための最良の形態】
【００１０】
以下、図面に基づいて本発明を具体的に説明する。図１は、本発明に係る画像プリント製本システム１の構成図であって、画像撮影装置２、画像処理プリント装置３及び製本装置４からなる。
【００１１】
画像撮影装置２は、例えばデジタルカメラのような、撮影した画像データを記憶し、当該データをＰＣ等の端末に直ちに送信することが可能な装置である。また、画像撮影装置２は、例えばインスタントカメラのようなフィルム形式のアナログカメラであってもよい。被写体はストーリーに応じた衣装等を着用し、製本後の各ページに合わせたポーズ等を取り撮影する。衣装等を着用し撮影した方がよりリアリティが出るが、衣装等がない場合には、下記に説明する画像データ処理部３２で被写体に任意の衣装等を合成してもよい。
【００１２】
画像処理プリント装置３は、ＰＣ等のような画像を合成及び加工等の編集を施すことが可能な端末装置と画像データを印刷物としてプリントアウトするプリンター等のような印刷装置とからなり、端末装置は、画像データ入力部３１及び画像データ処理部３２から構成され、印刷装置は、画像プリント部３３から構成される。
【００１３】
画像データ入力部３１は、撮影装置２で撮影されたストーリー性を持たせた複数の画像データを入力する。入力された前記画像データは、ＰＣ等の端末装置の画面に表示される。フィルム形式のアナログカメラで被写体を撮影した場合には、画像データ入力部３１は、例えば、スキャナ等の入力装置でもよい。
【００１４】
画像データ処理部３２は、複数の画像データにストーリー性を持たせて合成及び加工等の編集を施す。第一に、ＰＣ等の端末装置に記憶された複数のストーリーから利用者の好みのストーリーを選択し、背景画像を撮影した画像に合成した後、利用者の好みの加工等、例えば花柄・文字等による装飾を施すことができる。ＰＣ等の画像処理画面にタッチパネルを設けた場合には、タッチペンを使用することで、利用者自身の文字を書き込むこともできる。合成及び加工等の編集は、複数の画像データに対して、ストーリーに応じて各画像データに施す。画像処理ストーリーに応じた衣装等を装着せずに被写体を撮影した場合には、ストーリーに応じた衣装等を合成すればよい。
【００１５】
画像プリント部３３は、合成及び加工等の編集を施した複数の画像データをストーリーの流れに応じて印刷する。
【００１６】
製本装置４は、上記画像処理プリント装置３によって印刷された複数の画像データを１冊のアルバムに製本する。製本装置４の構成については後で詳細に説明する。
【００１７】
図２は、画像データ処理部３２におけるＰＣ等の端末装置画面の説明である。（ａ）はストーリー選択画面の一例である。利用者は、自分がなりたいヒーロー又はヒロインを利用者の好みの物語に応じて選択する。各種ストーリーは、ＰＣ等の端末装置に記憶され、例えば有名な御伽噺や最新の特撮ストーリー等が用意されている。
【００１８】
（ｂ）は、画像加工方式等選択画面の一例であり、撮影された複数の画像データの背景の選択又は画像の加工方式、例えば色彩、コントラスト又はぼかし等の選択をする。
【００１９】
（ｃ）は、背景選択画面の一例である。上記選択したストーリーに応じて複数の画像データに背景画像を合成する。絵本形式に製本したい場合には、背景画像にストーリーの文章を組み込んでおいてもよい。
【００２０】
（ｄ）は画像加工画面の一例である。ストーリー或いは利用者の好みに応じて加工を施す。例えば、花柄又はハート等のマークを画像データに貼付するだけでなく、任意の文字を入力すること等もすることができ、利用者の個性を演出することができる。加工の状況を分かりやすくするために、画面横端にサムネイルウィンドウを表示させてもよい。
【００２１】
（ｅ）は画像プリント確認画面の一例である。複数の画像データの合成及び加工等の編集を施したことを確認した後、プリントボタンをクリックすることにより、画像プリント部３３からストーリーに応じて複数の画像印刷物が印刷される。印刷された複数の画像印刷物は次に説明する製本装置４により一冊のアルバム本として製本される。
【００２２】
図３は、製本装置４の外観構成を示す斜視図であり、図４は、製本装置４の折り曲げ線形成部４３の斜視図であり、図５は、製本装置の折り曲げ線形成部４３の正面図であり、図６は、製本装置４の折り曲げ線形成部４３の内部構造が示された断面図であり、図７は、製本装置４の圧搾部の斜視図４６である。当該製本装置４は、第１モーター４１と、第１モーター４１の回転運動を直線運動に変換する第１運動変換部と、第１運動部に設置されて、画像印刷物に折り曲げ線を形成する折り曲げ刃４２が設けられている折り曲げ線形成部４３と、第２モーター４４と、第２モーター４４の回転運動を直線運動に変換する第２運動変換部と、第２運動変換部に設置されて、折り曲げられた画像印刷物と間紙が交互に積層された画像印刷物を加圧するプレスプレート４５が備えられた圧搾部４６から構成される。
【００２３】
ここで、第１運動変換部は、前記の第モーター４ａの回転軸に結合された回転プレート４７と、回転プレート４７の外郭部に形成されている突部４８と、折り曲げ刃４２を固定するプッシュプレート４９と、プッシュプレート４９の片側に結合されて前記突部４８が上下に引っ掛かる、上・下部引っ掛かり突起５０が形成されている結合ブロック５１から構成され、第１モーター４１が駆動する時、回転プレート４７の突部４８が回転し、プッシュプレート４９に結合した結合ブロック５１を上下に移動させることができる。また、突部４８には、結合ブロック５１の上・下引っ掛かり突起５０の間に位置するベアリング５２を結合することができる。更に、第１運動変換部は、プッシュプレート４９の移動をガイドする第１ガイド部を含むことができる。
【００２４】
一方、折り曲げ線形成部４３は、画像印刷物が安着する第１作業プレート５３を含んでおり、第１ガイド部は、第１作業プレート５３に直交するように設置されて、複数のガイドレール５４が設置されている第１固定プレート５５を含んでおり、プッシュプレート４９には、ガイドレール５４に結合するガイド溝が形成されている。
【００２５】
ここで、第１作業プレート５３は、画像印刷物が安着する位置に設置されているゴムプレート５６を含んでおり、また、圧搾部４６は、製本物が安着する第２作業プレート５７を含んでおり、第２運動部は、一端が第２モーター４４の回転軸に結合しており、他端がプレスプレート４５に連結している連結部材５８と、プレスプレート４５を第２作業プレート５７に弾性加圧する倍力部材５９を含んでおり、第２モーター４４が回転する時、前記連結部材５８が、プレスプレート４５を引っ張って、第２作業プレート５７と隔離させることができる。さらに、倍力部材５９は、コイルスプリングを含むことができる。
【００２６】
また、第２運動変換部は、連結部材５８の移動経路を変換する複数のアイドルギア６０を含んでいる。また、第２作業プレート５７には、安着する画像印刷物を整列する整列部６１が更に含まれる。
【００２７】
整列部６１は、第２作業プレート５７に形成されている複数のガイド溝部６２と、第２作業プレート５７の上部に位置して、製本物の製本部の反対側を、第２作業プレート５７に押す整列片６３を含んでおり、整列片６３は、ガイド溝部６２に移動がガイドされる締結部材６４によって固定することができる。
【００２８】
上記のように構成することにより、製本装置４は、折り曲げ線を形成する折り曲げ線形成部４３と、製本物の製本部を加圧する圧搾部４６が一体に形成されており、画像印刷物を製本するための関連作業を一律に行えるので作業速度を速くすることができ、短時間で利用者に、ストーリー性のある画像製本物を提供することができる。それだけでなく、折り曲げ線の形成及び製本するために加圧する装置が印刷物の大きさに応じて小型化することができるので、使用しやすく、設置面積が制限されないという効果を奏する。
【００２９】
上記実施例ではストーリー性のある製本物を提供したが、利用者が写真を持参すれば、編集により装飾性豊かな若しくはオリジナリティあるアルバムを短時間で提供することもできる。また、お年寄りなどが子供の頃から現在に至るまでの写真を持参した場合には、人生のストーリーを様々な装飾を加えてアルバムにすることもできる。
【産業上の利用可能性】
【００３０】
上記実施例では、ストーリー性のある製本物を提供したが、合成又は加工等の編集が施された画像印刷物をシールやキーホールダーに組み込むことも可能である。
【図面の簡単な説明】
【００３１】
【図１】本発明に係る画像プリント製本システムの構成を簡易に示すブロック図である。
【図２】本発明に係る画像プリント製本システムの画像データ処理部の画面説明図である。
【図３】本発明に係る製本装置の斜視図である。
【図４】本発明に係る製本装置の折り曲げ線形成部の斜視図である。
【図５】本発明に係る製本装置の折り曲げ線形成部の正面図である。
【図６】本発明に係る製本装置の折り曲げ線形成部の内部構造が示された断面図である。
【図７】本発明に係る製本装置の圧搾部の斜視図である。
【符号の説明】
【００３２】
１    画像プリント製本システム
２    画像撮影装置
３    画像処理プリント装置
３１  画像データ入力部
３２  画像データ処理部
３３  画像データプリント部
４    製本装置
４１  第１モーター
４２  折り曲げ刃
４３  折り曲げ線形成部
４４  第２モーター
４５  プレスプレート
４６  圧搾部
４７  回転プレート
４８  突部
４９  プッシュプレート
５０  上・下部引っ掛かり突起
５１  結合ブロック
５２  ベアリング
５３  第１作業プレート
５４  ガイドレール
５５  第１固定プレート
５６  ゴムプレート
５７  第２作業プレート
５８  連結部材
５９  倍力部材
６０  アイドルギア
６１  整列部
６２  ガイド溝部
６３  整列片
６４  締結部材
【図１】
2008146590.tif 000003
【図２】
2008146590.tif 000004
【図３】
2008146590.tif 000005
【図４】
2008146590.tif 000006
【図５】
2008146590.tif 000007
【図６】
2008146590.tif 000008
【図７】
2008146590.tif 000009